(57)【要約】【課題】比較的短い時間に視聴された過去（例えば、数分前）のイベントを、簡便な操作で確認できるとともに再視聴できるディジタル放送受信装置を提供する。【解決手段】ディジタル放送受信装置において、お好みイベント登録手段により登録指定されたお好みイベントに関するイベント情報が認識可能な形態でお好みイベント案内を提示し、このお好みイベント案内において、所望のイベントを提供するチャンネルを選局できるようにした。【選択図】図４
2008271394.tif 000002
【特許請求の範囲】
【請求項１】
所定のチャンネルの選局を指示する操作手段と、
前記操作手段による選局操作に基づいて、前記所定のチャンネルのディジタル放送信号を受信し、該チャンネルで提供されているイベントを視聴可能とする受信手段と、を備えたディジタル放送受信装置において、
視聴されたイベントを選択的にお好みイベントとして登録可能なお好みイベント登録手段と、
前記受信手段により受信されたディジタル放送信号に含まれるＳＩ情報に基づいて、前記お好みイベント登録手段により登録指定されたお好みイベントに関するイベント情報を記憶するイベント情報記憶手段と、
前記登録されたお好みイベントに関する情報が認識可能な形態でお好みイベント案内を提示するお好みイベント案内手段と、を備え、
前記お好みイベント案内手段は、前記イベント情報記憶手段に記憶されているイベント情報に基づいて前記お好みイベントの放送状態を監視するとともに、前記イベント情報及び前記放送状態に基づいて前記お好みイベント案内を提示し、
前記受信手段は、前記お好みイベント案内が提示された状態における、前記操作手段によるイベント選択操作に基づいて、当該イベントを提供するチャンネルのディジタル放送信号を受信することを特徴とするディジタル放送受信装置。
【請求項２】
前記イベント情報記憶手段は、前記お好みイベントのイベント情報を記憶するお好みイベント情報記憶領域と、現在視聴中のイベントのイベント情報を記憶する視聴イベント情報記憶領域と、を有し、
前記お好みイベント案内手段は、お好み登録の有無にかかわらず、現在視聴中のイベントに関する情報が認識可能な形態で前記お好みイベント案内を提示することを特徴とする請求項１に記載のディジタル放送受信装置。
【請求項３】
前記イベント情報記憶手段は、前記受信手段により受信されたディジタル放送信号に含まれるＳＩ情報に基づいて、すでに記憶されているイベント情報を更新可能に構成されることを特徴とする請求項１又は２に記載のディジタル放送受信装置。
【請求項４】
前記お好みイベント案内手段は、前記お好みイベントが放送中であるか否かを判定し、該お好みイベントの放送が終了した場合は、該お好みイベントを削除することを特徴とする請求項１から３のいずれか一項に記載のディジタル放送受信装置。
【請求項５】
前記お好みイベント情報記憶領域は、前記お好みイベントが延長される場合に、延長前のイベント情報と、延長後のイベント情報を記憶可能に構成され、
前記お好みイベント案内手段は、前記延長されるお好みイベントについて、イベントが延長される前は前記延長前のイベント情報に基づいて前記お好みイベント案内を提示し、イベントが延長された後は前記延長後のイベント情報に基づいて前記お好みイベント案内を提示することを特徴とする請求項２から４のいずれか一項に記載のディジタル放送受信装置。
【請求項６】
前記登録されたお好みイベントを選択的に削除可能なお好みイベント削除手段を備えることを特徴とする請求項１から５のいずれか一項に記載のディジタル放送受信装置。
【請求項７】
前記お好みイベント情報記憶領域は、所定数のお好みイベントに関するイベント情報を記憶可能に構成され、前記お好みイベント登録手段によりお好みイベントの登録指定がなされたときに、すでに登録されたお好みイベントが前記所定数に達していた場合、前記お好みイベント削除手段により削除指定されたお好みイベントのイベント情報を削除し、新たに登録されるお好みイベントのイベント情報を前記削除領域に記憶することを特徴とする請求項６に記載のディジタル放送受信装置。
【請求項８】
前記お好みイベント案内手段は、視聴中のイベントがお好みイベントである場合に、当該イベントのイベント情報を表示するバナー表示において、お好みイベントである旨を報知することを特徴とする請求項１から７のいずれか一項に記載のディジタル放送受信装置。
【請求項９】
前記操作手段は、前記お好みイベント案内手段にお好みイベント案内を提示させるための専用の操作ボタンを有することを特徴とする請求項１から８のいずれか一項に記載のディジタル放送受信装置。
【請求項１０】
所定のチャンネルの選局を指示する操作手段と、
前記操作手段による選局操作に基づいて、前記所定のチャンネルのディジタル放送信号を受信し、該チャンネルで提供されているイベントを視聴可能とする受信手段と、を備えたディジタル放送受信装置において、
視聴されたイベントを選択的にお好みイベントとして登録可能なお好みイベント登録手段と、
前記登録されたお好みイベントを選択的に削除可能なお好みイベント削除手段と、
前記受信手段により受信されたディジタル放送信号に含まれるＳＩ情報に基づいて、前記お好みイベント登録手段により登録指定されたお好みイベントに関するイベント情報を記憶するとともに、新たに受信されたＳＩ情報に基づいて、すでに記憶されているイベント情報を更新可能なイベント情報記憶手段と、
前記登録されたお好みイベント及び現在視聴中のイベントに関する情報が認識可能な形態でお好みイベント案内を提示するお好みイベント案内手段と、を備え、
前記イベント情報記憶手段は、所定数のお好みイベントに関するイベント情報を記憶可能で、かつ、前記お好みイベントが延長される場合に、延長前のイベント情報と、延長後のイベント情報を記憶可能なお好みイベント情報記憶領域と、現在視聴中のイベントのイベント情報を記憶する視聴イベント情報記憶領域と、を有し、前記お好みイベント登録手段によりお好みイベントの登録指定がなされたときに、すでに登録されたお好みイベントが前記所定数に達していた場合、前記お好みイベント削除手段により削除指定されたお好みイベントのイベント情報を削除し、新たに登録されるお好みイベントのイベント情報を前記削除領域に記憶し、
前記お好みイベント案内手段は、前記お好みイベントが放送中であるか否かを判定し、お好みイベントの放送が終了した場合は、該お好みイベントを削除し、前記延長されるお好みイベントについて、イベントが延長される前は前記延長前のイベント情報に基づいて前記お好みイベント案内を提示し、イベントが延長された後は前記延長後のイベント情報に基づいて前記お好みイベント案内を提示し、視聴中のイベントがお好みイベントである場合に、当該イベントのイベント情報を表示するバナー表示において、お好みイベントである旨を報知し、
前記受信手段は、前記お好みイベント案内が提示された状態における、前記操作手段によるイベント選択操作に基づいて、当該イベントを提供するチャンネルのディジタル放送信号を受信することを特徴とするディジタル放送受信装置。
【発明の詳細な説明】
【技術分野】
【０００１】
本発明は、地上／ＢＳ／ＣＳディジタル放送等を受信可能なディジタル放送受信装置に関し、特に、イベント視聴時の利便性を改善する技術に関する。
【背景技術】
【０００２】
近年、ディジタル技術の発達によりテレビジョン放送の分野でもディジタル化が急速に進み、例えば、地上／ＢＳ／ＣＳディジタル放送が実用化されている。このディジタル放送では、アナログ放送よりも簡単かつ効率的にデータを圧縮できることから、多チャンネル化（例えば、ＣＳディジタル放送では２００チャンネル以上）、高品質化（ハイビジョン放送）、高機能化（データ放送（双方向通信サービス））の実現が期待される。
【０００３】
上述したディジタル放送を受信可能なディジタル放送受信装置では、利用者は、多数のチャンネルの中から所望するチャンネルを選択することとなる。一般には、例えば、リモコン装置に設けられたワンタッチボタン（１〜１２）による一発選局、チャンネル送りボタンによるアップダウン選局、数字ボタン（０〜９）を使って３桁チャンネル番号を直接入力するダイレクト選局により、チャンネルの選局が行われる。
【０００４】
このように、ディジタル放送化に伴い提供されるチャンネルは著しく増加するが、利用者の立場にしてみれば、所望のチャンネルの検索やチャンネルの選局操作が複雑になることは好ましくない。
そこで、ディジタル放送受信装置におけるチャンネル選局操作の利便性を改善するための種々の技術が提案されている（例えば、特許文献１〜３）。
【０００５】
具体的には、特許文献１には、番組情報をチューナ部により取得した後で記録保存部に保存し、映像を表示した履歴を履歴情報として記録保存部に記録しておき、番組情報と履歴情報とに基づいて推薦番組を決定し、電源投入時に推薦番組の映像をディスプレイにより表示する表示装置が開示されている。
【０００６】
また、特許文献２には、ユーザがリモコンに配置された「よく見るチャンネル」キーを操作すると、自動的に記憶した過去の視聴履歴情報を読み出して表示し、この表示に従いユーザが希望するチャンネルを選局することができる放送受信装置が開示されている。
【０００７】
また、特許文献３には、時間軸とチャンネル軸のマトリクス状の電子番組表を解析・編集して、視聴予約番組とともに時間軸に対する一次元の番組表に編集し表示することにより、利用者が簡易にかつ短時間で視聴番組を選べる番組情報処理装置が開示されている。
【特許文献１】特開２００６−２８７８５５号公報
【特許文献２】特開２００５−１０９９２４号公報
【特許文献３】特開２０００−３３３０８５号公報
【発明の開示】
【発明が解決しようとする課題】
【０００８】
ところで、ディジタル放送受信装置において、電源をオンされた後に長時間同一のチャンネルが視聴されることは稀で、電源をオフされるまでには少なからずチャンネルは切り替えられるものと考えられる。例えば、同一時間帯に利用者が視聴したいイベント（番組）が複数のチャンネルで提供されている場合等は、過去（数分前）に視聴したイベントの経過が気になり、比較的頻繁にチャンネル選局操作が行われる。
【０００９】
しかしながら、従来のディジタル放送受信装置では、このように過去に視聴したイベントをちょっと確認したいという場合であっても、通常のチャンネル選局操作を行う必要があり、不便である。例えば、過去に視聴したイベントを再選局する際、３桁のチャンネル番号入力でしか選局できない場合や、ワンタッチ選局であっても数字ボタンに割り付けたチャンネルを忘れるような場合も考えられ、再選局が困難になりかねない。
【００１０】
上記先願技術によれば、通常時のチャンネル選局操作の利便性は改善できるが、上述したような問題に対応することはできない。つまり、上記先願技術は、日単位という比較的長時間の視聴履歴をもとに、視聴頻度の高いチャンネルを容易に選局するためのものであり、例えば、電源がオンされてからオフされるまでという、比較的短い時間に視聴した複数のイベントのうち、所望のイベントの再視聴を容易にする技術ではない。
【００１１】
本発明は、比較的短い時間に視聴された過去（例えば、数分前）のイベントを、簡便な操作で確認できるとともに再視聴できるディジタル放送受信装置を提供することを目的とする。
【課題を解決するための手段】
【００１２】
請求項１に記載の発明は、上記目的を達成するため、所定のチャンネルの選局を指示する操作手段と、前記操作手段による選局操作に基づいて、前記所定のチャンネルのディジタル放送信号を受信し、該チャンネルで提供されているイベントを視聴可能とする受信手段と、を備えたディジタル放送受信装置において、視聴されたイベントを選択的にお好みイベントとして登録可能なお好みイベント登録手段と、前記受信手段により受信されたディジタル放送信号に含まれるＳＩ情報に基づいて、前記お好みイベント登録手段により登録指定されたお好みイベントに関するイベント情報を記憶するイベント情報記憶手段と、前記登録されたお好みイベントに関する情報が認識可能な形態でお好みイベント案内を提示するお好みイベント案内手段と、を備え、前記お好みイベント案内手段は、前記イベント情報記憶手段に記憶されているイベント情報に基づいて前記お好みイベントの放送状態を監視するとともに、前記イベント情報及び前記放送状態に基づいて前記お好みイベント案内を提示し、前記受信手段は、前記お好みイベント案内が提示された状態における、前記操作手段によるイベント選択操作に基づいて、当該イベントを提供するチャンネルのディジタル放送信号を受信することを特徴とする。
【００１３】
請求項２に記載の発明は、請求項１に記載のディジタル放送受信装置において、前記イベント情報記憶手段は、前記お好みイベントのイベント情報を記憶するお好みイベント情報記憶領域と、現在視聴中のイベントのイベント情報を記憶する視聴イベント情報記憶領域と、を有し、前記お好みイベント案内手段は、お好み登録の有無にかかわらず、現在視聴中のイベントに関する情報が認識可能な形態で前記お好みイベント案内を提示することを特徴とする。
【００１４】
請求項３に記載の発明は、請求項１又は２に記載のディジタル放送受信装置において、  前記イベント情報記憶手段は、前記受信手段により受信されたディジタル放送信号に含まれるＳＩ情報に基づいて、すでに記憶されているイベント情報を更新可能に構成されることを特徴とする。
【００１５】
請求項４に記載の発明は、請求項１から３のいずれか一項に記載のディジタル放送受信装置において、前記お好みイベント案内手段は、前記お好みイベントが放送中であるか否かを判定し、該お好みイベントの放送が終了した場合は、該お好みイベントを削除することを特徴とする。
【００１６】
請求項５に記載の発明は、請求項２から４のいずれか一項に記載のディジタル放送受信装置において、前記お好みイベント情報記憶領域は、前記お好みイベントが延長される場合に、延長前のイベント情報と、延長後のイベント情報を記憶可能に構成され、前記お好みイベント案内手段は、前記延長されるお好みイベントについて、イベントが延長される前は前記延長前のイベント情報に基づいて前記お好みイベント案内を提示し、イベントが延長された後は前記延長後のイベント情報に基づいて前記お好みイベント案内を提示することを特徴とする。
【００１７】
請求項６に記載の発明は、請求項１から５のいずれか一項に記載のディジタル放送受信装置において、前記登録されたお好みイベントを選択的に削除可能なお好みイベント削除手段を備えることを特徴とする。
【００１８】
請求項７に記載の発明は、請求項６に記載のディジタル放送受信装置において、前記お好みイベント情報記憶領域は、所定数のお好みイベントに関するイベント情報を記憶可能に構成され、前記お好みイベント登録手段によりお好みイベントの登録指定がなされたときに、すでに登録されたお好みイベントが前記所定数に達していた場合、前記お好みイベント削除手段により削除指定されたお好みイベントのイベント情報を削除し、新たに登録されるお好みイベントのイベント情報を前記削除領域に記憶することを特徴とする。
【００１９】
請求項８に記載の発明は、請求項１から７のいずれか一項に記載のディジタル放送受信装置において、前記お好みイベント案内手段は、視聴中のイベントがお好みイベントである場合に、当該イベントのイベント情報を表示するバナー表示において、お好みイベントである旨を報知することを特徴とする。
【００２０】
請求項９に記載の発明は、請求項１から８のいずれか一項に記載のディジタル放送受信装置において、前記操作手段は、前記お好みイベント案内手段にお好みイベント案内を提示させるための専用の操作ボタンを有することを特徴とする。
【００２１】
請求項１０に記載の発明は、所定のチャンネルの選局を指示する操作手段と、前記操作手段による選局操作に基づいて、前記所定のチャンネルのディジタル放送信号を受信し、該チャンネルで提供されているイベントを視聴可能とする受信手段と、を備えたディジタル放送受信装置において、視聴されたイベントを選択的にお好みイベントとして登録可能なお好みイベント登録手段と、前記登録されたお好みイベントを選択的に削除可能なお好みイベント削除手段と、前記受信手段により受信されたディジタル放送信号に含まれるＳＩ情報に基づいて、前記お好みイベント登録手段により登録指定されたお好みイベントに関するイベント情報を記憶するとともに、新たに受信されたＳＩ情報に基づいて、すでに記憶されているイベント情報を更新可能なイベント情報記憶手段と、前記登録されたお好みイベント及び現在視聴中のイベントに関する情報が認識可能な形態でお好みイベント案内を提示するお好みイベント案内手段と、を備え、前記イベント情報記憶手段は、所定数のお好みイベントに関するイベント情報を記憶可能で、かつ、前記お好みイベントが延長される場合に、延長前のイベント情報と、延長後のイベント情報を記憶可能なお好みイベント情報記憶領域と、現在視聴中のイベントのイベント情報を記憶する視聴イベント情報記憶領域と、を有し、前記お好みイベント登録手段によりお好みイベントの登録指定がなされたときに、すでに登録されたお好みイベントが前記所定数に達していた場合、前記お好みイベント削除手段により削除指定されたお好みイベントのイベント情報を削除し、新たに登録されるお好みイベントのイベント情報を前記削除領域に記憶し、前記お好みイベント案内手段は、前記お好みイベントが放送中であるか否かを判定し、お好みイベントの放送が終了した場合は、該お好みイベントを削除し、前記延長されるお好みイベントについて、イベントが延長される前は前記延長前のイベント情報に基づいて前記お好みイベント案内を提示し、イベントが延長された後は前記延長後のイベント情報に基づいて前記お好みイベント案内を提示し、視聴中のイベントがお好みイベントである場合に、当該イベントのイベント情報を表示するバナー表示において、お好みイベントである旨を報知し、前記受信手段は、前記お好みイベント案内が提示された状態における、前記操作手段によるイベント選択操作に基づいて、当該イベントを提供するチャンネルのディジタル放送信号を受信することを特徴とする。
【発明の効果】
【００２２】
本発明によれば、ディジタル放送受信装置において、比較的短い時間に視聴された過去のイベントを、簡便な操作で確認できるとともに、再視聴させることができるので、チャンネル選局時の利便性を向上できる。また、利用者は、選局するために該当イベントのチャンネルが割り当てられている数字ボタン等を覚える必要はないので、選局操作は極めて簡便なものとなる。
【発明を実施するための最良の形態】
【００２３】
以下、本発明の実施の形態を図面に基づいて説明する。
図１は、本発明に係るディジタル放送受信装置としてのテレビジョン受像機１０の全体構成を示すブロック図である。なお、図１において、実線の矢印は各種情報の流れを示し、点線の矢印は制御信号の流れを示している。
【００２４】
本実施形態のテレビジョン受像機１０は、アンテナ１１と、受信部（チューナ）１２と、信号復調部１３と、データ分離部１４と、デコード部１５と、ＯＳＤ生成部１６と、多重化部（ＯＳＤ部）１７と、イベント情報記憶部（例えば、フラッシュメモリ）１８と、操作部１９と、制御部２０と、を備えて構成される。
【００２５】
具体的には、受信部１２は、アンテナ１１を介してディジタル放送（例えば、地上／ＢＳ／ＣＳディジタル放送）を選択的に受信可能なチューナである。受信手段としての受信部１２は、後述する操作部１９によるチャンネル選局操作に基づいて、所定のチャンネルのディジタル放送信号を受信し、該チャンネルで提供されているイベントを視聴可能とする。
【００２６】
また、本実施形態では、地上ディジタル放送において、１のチャンネルを選局し当該チャンネルで提供されるイベントを視聴する一方で、他チャンネルで提供されるＳＩ情報を取得可能とするため、受信部１２は、異なる２つのチャンネルを選局可能な、いわゆるダブルチューナで構成している。なお、ＢＳディジタル放送のように、どのチャンネルを選局していても、他のすべてのチャンネルのＳＩ情報を取得できる場合には、受信部１２の構成は特に制限されない。
【００２７】
信号復調部１３は、受信部１２で受信したディジタル放送信号を復調する。
データ分離部１４は、信号復調部１３で復調されたディジタル放送信号を、番組のコンテンツ情報（映像データおよび音声データ）とＳＩ情報とに分離する。データ分離部１４で分離されたコンテンツ情報はデコード部１５に供給され、ＳＩ情報はＯＳＤ生成部１６及びイベント情報記憶部１８に供給される。
【００２８】
デコード部１５は、データ分離部１４から供給されたコンテンツ情報を伸張・復号化して映像信号および音声信号を生成し、スピーカ２１に出力する。
【００２９】
ＯＳＤ生成部１６は、データ分離部１４から供給されたＳＩ情報に基づいて、放送局ごとに番組コンテンツに関する情報を時系列に従って並べた電子番組案内（以下、ＥＰＧと称する）データを生成する。また、ＯＳＤ生成部１６は、イベント情報記憶部１８に記憶されているイベント情報（お好みイベント情報、視聴イベント情報）に基づいて、利用者が視聴したイベントのうちお好み登録されたイベントに関する情報を提示するお好みイベント案内データを生成する。
【００３０】
多重化部１７は、デコード部１５やＯＳＤ生成部１６からの表示信号を、表示部２２に選択的に出力したり、多重化して出力したりする。
【００３１】
イベント情報記憶部１８は、データ分離部１４で分離されたＳＩ情報に基づいて、後述するお好みイベント登録ボタンにより登録指定されたお好みイベントに関するイベント情報を記憶する（イベント情報記憶手段）。また、イベント情報記憶部１８は、お好みイベントに関するイベント情報の他、現在視聴中のイベントのイベント情報を記憶する。つまり、図３に示すように、イベント情報記憶部１８は、お好み登録されたイベントのイベント情報（お好みイベント情報）を記憶するお好みイベント情報領域１８１と、現在視聴中のイベントのイベント情報（視聴イベント情報）を一時的に記憶する視聴イベント情報記憶領域１８２と、を有する。また、お好みイベント情報記憶領域１８１には最大５個のお好みイベントのイベント情報を記憶することができる。すなわち、お好みイベントを５個登録できるようにしている。
【００３２】
イベント情報として、例えば、イベントＩＤ、ネットワーク名（地上／ＢＳ／ＣＳ）、３桁チャンネル番号、放送局名、放送時間帯、イベント名などの情報が記憶される。なお、３桁チャンネル番号で放送局を一意に区別できなくなる場合に、４桁目の番号（枝番）が付加されているときは、必要に応じて枝番も記憶する。
【００３３】
また、イベント情報記憶部１８は、ディジタル放送信号に含まれる最新のＳＩ情報に基づいて、すでに記憶されているイベント情報を更新可能に構成される。制御部２０は、更新されたイベント情報を監視することで、お好みイベントの放送状態、例えば、放送終了や放送延長を把握することができる。
【００３４】
操作部１９は、例えば、複数の操作ボタンを備えたリモコン装置や本体に設けられた操作パネルであり、この操作部１９からの入力信号に基づいて、チャンネル選局や音量調整、ＥＰＧや後述するお好みイベント案内におけるフォーカスの移動などの所定の処理が実行される。
【００３５】
制御部２０は、例えば、操作部１９からの入力信号に基づいて、図示しないＲＯＭに格納されている制御プログラム等を実行し、テレビジョン受像機１０の各ブロックを駆動制御する。
【００３６】
本実施形態では、お好みイベント案内手段としての制御部２０は、イベント情報記憶部１８に記憶されているお好みイベントのイベント情報に基づいて、お好みイベントの放送状態（例えば、放送中、放送終了、放送延長）を監視する。また、操作部１９によってお好みイベント案内を表示させる操作（お好みイベント表示ボタン２２０の操作）が行われることに伴い、お好みイベント及び視聴イベントのイベント情報と、それぞれのイベントの放送状態に基づいて、前記ＯＳＤ生成部１６にお好みイベント案内データを生成させ、表示部２２に表示させる。なお、お好みイベント案内データは、お好みイベント案内の表示中に、例えば、イベントの放送状態が変化した場合や利用者に放送状態の変化を報知する場合に、適宜変更されるものとする。
【００３７】
つまり、お好みイベント案内では、利用者が過去に視聴し、お好みイベントとして登録したイベントの現在の放送状態を知ることができる。例えば、放送中のイベントについては放送時間帯を表示し、放送終了したイベントについてはお好みイベント案内から削除し（表示させない）、放送延長されたイベントについては延長された放送時間帯を表示するようにすれば、利用者は、過去に視聴したイベントの現在の放送状態を認識できる。
【００３８】
また、お好みイベント案内において、操作部１９によってイベント選択操作が行われると、当該イベントを提供するチャンネルが選局されるようにしている。これにより、利用者は、お好みイベント案内における極めて簡単な操作により、所望のイベントを再視聴することができる。
【００３９】
図２は、操作部１９としてのリモコン装置の外観図である。
リモコン装置１９は、電源をオン／オフする電源ボタン２０１と、受信するチャンネルを選局する数字ボタン２０２と、ＥＰＧを表示させるＥＰＧ表示ボタン２０３、ＥＰＧ等で１つ前の画面に戻すボタン２０４、音量を調整する音量ボタン２０５と、受信する放送信号の種別（地上波／ＢＳ／ＣＳ等）を選択するボタン２０６と、放送サービス（テレビ放送、ラジオ放送、データ放送）を切り替えたり、文字入力に用いたりするボタン２０７と、画面上で指示が出たときに用いるカラーボタン２０８と、データ放送等に用いるボタン２０９と、ＥＰＧやお好みイベント案内においてフォーカスを上下左右に移動させる方向ボタン２１０と、選択した項目で決定する決定ボタン２１１と、チャンネルの選局に用いるチャンネルボタン２１２と、音声切り替えボタンや字幕のオン／オフ切り替えボタン等の所定の機能を実行させるための操作ボタン２１３と、お好みイベント案内を表示させるお好みイベント表示ボタン２２０と、視聴中のイベントをお好みイベントとして登録したり、登録されているお好みイベントを削除したりするお好みイベント登録ボタン２２１と、を備える。
【００４０】
すなわち、操作部１９は、お好みイベント案内を提示させるための専用の操作ボタン２２０と、視聴中のイベントを選択的にお好みイベントとして登録可能なお好みイベント登録ボタン（お好みイベント登録手段）２２１を有する。また、お好みイベント登録ボタン２２１は、登録されたお好みイベントを選択的に削除可能なお好みイベント削除手段を兼用する。
【００４１】
利用者は、お好みイベント登録ボタン２２１を操作することで、視聴中のイベントをお好みイベントとして登録でき、お好みイベント案内を提示している状態で、所定の操作（例えば、お好みイベント登録ボタンの長押し）を行うことで、選択されているお好みイベントを削除できる。これにより、利用者は、過去に視聴したイベントであって、イベントの経過を後に確認したいイベントだけをお好みイベントとして登録することができるので、余計なイベントが登録されることなく、必要な情報を効率よく入手することができる。
【００４２】
また、利用者は、お好みイベント表示ボタン２２０を操作することで、お好みイベント案内を表示部２２に表示させることができる。このお好みイベント案内において、お好みイベント表示ボタン２２０又は方向ボタン２１０を操作してフォーカスを遷移させ、決定ボタン２１１を操作して所望のイベントを選択することで、当該イベントを提供するチャンネルを選局することができる。
【００４３】
次に、本実施形態のテレビジョン受像機１０におけるお好みイベント記憶処理及びお好みイベント案内表示処理について説明する。以下の説明において、お好みイベント登録ボタン２２１により登録されたイベントを「お好みイベント」、チャンネル選局により実際に視聴しているイベントを「視聴イベント」、お好みイベントのうち放送が延長されるイベントを「延長イベント」と称することもある。
【００４４】
図４は、お好みイベント記憶処理の一例を示すフローチャートである。このお好みイベント記憶処理は制御部２０によって実行される。
【００４５】
まず、ステップＳ１０１では、テレビジョン受像機１０の電源がオンになっているか判定する。そして、テレビジョン受像機１０の電源がオンになるまで待機し、電源がオンになるとステップＳ１０２に移行する。
【００４６】
ステップＳ１０２では、ディジタル放送信号に含まれる最新のＳＩ情報に基づいて、前回の電源オフ時におけるお好みイベントのイベント情報を更新する。例えば、お好みイベントのイベント情報（ＳＩ情報）を取得可能か否かに基づいて、このお好みイベントが現在放送中か、延長放送中か、放送終了したかを判断する。ここで、イベントの同一性は、ＳＩ情報に含まれるイベントＩＤによって判断する。
【００４７】
そして、放送が終了していたお好みイベントを削除し、電源オフ中に延長放送となっていたお好みイベントについては、そのイベント情報（例えば、チャンネル番号や放送時間帯）を更新する。ここで、「お好みイベントの削除」とは、当該お好みイベントのイベント情報が記憶されている記憶領域が開放され（上書き可能となる）、お好みイベント案内から当該イベントが削除されるという意味であり、イベント情報記憶部１８から即座に当該イベント情報を削除しなくてもよい。なお、放送延長時及び放送終了時のイベント情報の更新については、後述するステップＳ１１３〜Ｓ１１６と同様である。
【００４８】
つまり、前回の電源オフ時におけるお好みイベントのイベント情報は、電源オン時にもそのままイベント情報記憶部１８に記憶された状態となっているので、このお好みイベントが現在も放送中、或いは延長放送中であればそのまま参照できるようにし、放送終了していれば参照しないようにしている。
【００４９】
ステップＳ１０３では、現在視聴中のイベント（視聴イベント）がお好みイベントとして登録済みか判定する。そして、視聴イベントがお好みイベントとして登録済みであると判定した場合はステップＳ１０９に移行し、登録済みでない場合はステップＳ１０４に移行する。
【００５０】
ステップＳ１０４では、視聴イベントのイベント情報を、イベント情報記憶部１８の視聴イベント情報記憶領域１８２に一時的に記憶させる。例えば、テレビジョン受像機１０の電源がオフされた後、数時間が経過していれば、大抵のイベントは放送が終了しており、放送終了したお好みイベントのイベント情報はステップＳ１０２で削除されるので、電源がオンされた後にはお好みイベントは未登録で、視聴イベントだけが視聴イベント記憶領域１８２に記憶された状態となる。
【００５１】
視聴イベントがお好みイベントとして登録されていない場合でも、後述するお好みイベント案内において視聴イベントを提示するために、視聴イベント情報記憶領域１８２に一時的に記憶するようにしている。このように、視聴イベントを含むお好みイベント案内が提示されることにより、利用者は、すでに登録されているお好みイベントと現在の視聴イベントを比較し、容易にお好みイベントの登録を変更できるので、利便性が向上する。
【００５２】
ステップＳ１０５では、お好みイベント登録ボタン２２１の操作、すなわち視聴しているイベントをお好みイベントとして登録する操作がなされた判定する。なお、通常のイベント視聴中でも、後述するお好みイベント案内の表示中でも同様の処理がなされる。そして、お好みイベント登録ボタン２２１による登録指定がなされた場合はステップＳ１０６に移行し、登録指定がなされていない場合はステップＳ１０９に移行する。
【００５３】
ステップＳ１０６では、イベント情報記憶部１８のお好みイベント情報記憶領域１８１に記憶されているお好みイベント数は上限（図３では、５個）に達しているか判定する。そして、登録されたお好みイベント数が上限に達している場合はステップＳ１０７に移行し、上限に達していない場合はステップＳ１０８に移行する。
【００５４】
ステップＳ１０７では、すでに登録済みのお好みイベントを削除するか判定する。例えば、お好みイベント削除画面として５個のお好みイベントと視聴イベントの計６個のイベントを提示し、このお好みイベント削除画面において、お好みイベントの削除操作がなされたかを判定する。そして、すでに登録済みのお好みイベントが削除された場合はステップＳ１０８に移行し、お好みイベント削除画面がキャンセルされたり、視聴イベントが削除するイベントとして選択されたりして、お好みイベントが削除されない場合はステップＳ１０９に移行する。
【００５５】
ステップＳ１０８では、視聴イベントのイベント情報をお好みイベント情報記憶領域１８１に記憶させ、当該視聴イベントをお好みイベントとして登録する。つまり、お好みイベント登録ボタン２２１が操作されたときに、お好みイベント情報記憶領域１８１に空きがあればそのまま視聴イベントのイベント情報を記憶させ、お好みイベント情報記憶領域１８１に空きがないときには既存のお好みイベントが削除されることに伴い空き領域に視聴イベントのイベント情報を記憶させることとなる。ステップＳ１０５〜Ｓ１０８により、お好みイベントの登録が行われる。
【００５６】
ステップＳ１０９では、お好みイベント案内が表示された状態であるか判定する。そして、お好みイベント案内が表示されている場合はステップＳ１１０に移行し、お好みイベント案内が表示されていない場合はステップＳ１１２に移行する。
【００５７】
ステップＳ１１０では、お好みイベント案内に提示されているお好みイベントのうち、何れかのお好みイベントを削除する操作がなされたか判定する。具体的には、お好みイベント案内において、お好みイベントの何れかがフォーカスされた状態で、お好みイベント登録ボタン２２１の長押し操作が行われたか否かを判定する。そして、お好みイベントを削除する操作がなされた場合はステップＳ１１１に移行し、お好みイベントを削除する操作がなされていない場合はステップＳ１１２に移行する。
【００５８】
ステップＳ１１１では、削除指定されたお好みイベントを削除する。ステップＳ１０９〜Ｓ１１１により、お好みイベントの削除が行われる。
【００５９】
ステップＳ１１２では、最新のＳＩ情報に基づいて、お好みイベントのイベント情報を取得する。ここで、イベントの同一性は、ＳＩ情報に含まれるイベントＩＤによって判断する。
【００６０】
ステップＳ１１３では、お好みイベントの放送延長の有無を判定する。そして、お好みイベントの放送延長がある場合はステップＳ１１４に移行し、お好みイベントの放送延長がない場合はステップＳ１１５に移行する。例えば、放送局側でイベントの放送延長が決定すると、延長開始時間前（当初の放送時間内）のＳＩ情報によりその旨に関する情報が提供されるので、この情報に基づいてお好みイベントの放送延長の有無を判定する。
【００６１】
ステップＳ１１４では、放送延長されたお好みイベントのイベント情報を更新する。具体的には、ＳＩ情報から延長後の３桁チャンネル番号や放送時間帯等、延長後のイベント情報を取得し、該当するイベントの追加情報としてイベント情報記憶部１８に記憶する。つまり、放送延長されるイベントについては、延長前と延長後のイベント情報が記憶されることになる。このとき、記憶領域を有効利用するために、延長前と延長後で変更されると想定される３桁チャンネル番号と放送時間帯に関する情報についてだけ、記憶領域を二重に用意するようにしてもよい。
【００６２】
このように、それぞれのお好みイベントに対して記憶領域を二重に用意することで、お好みイベントが延長される場合に延長前後のイベント情報を記憶できるようにしている。なお、当初のイベント終了時間となった場合に、延長前のイベント情報は削除され、延長後のイベント情報に完全に更新されることとなる。
【００６３】
ステップＳ１１５では、イベント情報記憶部１８に記憶されているイベント情報と、新たに取得されたイベント情報を比較し、お好みイベントの放送が終了したか否かを判定する。そして、お好みイベントの放送が終了した場合はステップＳ１１６に移行し、お好みイベントの放送が終了していない場合はステップＳ１１７に移行する。
【００６４】
ステップＳ１１６では、放送が終了したお好みイベントを削除する。つまり、お好みイベント案内手段としての制御部２０は、お好みイベントが放送中であるか否かを判定し、お好みイベントの放送が終了した場合は、このお好みイベントを削除させる。すなわち、お好みイベントとして登録されたイベントのうち、現在放送中のお好みイベントだけを管理し、後述するお好みイベント案内において提示可能とする。
【００６５】
ステップＳ１１７では、テレビジョン受像機１０の電源がオフにされたか判定する。そして、テレビジョン受像機１０の電源がオフにされた場合はステップＳ１０１に移行し、電源がオンされたままの場合はステップＳ１０３に移行する。
【００６６】
以上のようにして、お好みイベント記憶処理がなされる。このように、本実施形態では、テレビジョン受像機１０の電源がオンされた後、利用者によるお好みイベント登録ボタン２２１の操作に伴いお好みイベントが登録又は削除され、また、最新のＳＩ情報に基づいてお好みイベントのイベント情報が更新されるので、利用者は、電源がオンされた後にお好みイベントとして登録されたイベントの放送状態を正確に把握できる。
【００６７】
図５、６は、お好みイベント案内表示処理の一例を示すフローチャートである。このお好みイベント案内表示処理は制御部２０によって実行される。
また、図７はお好みイベント案内の一表示例を示す説明図で、図８〜１１は、図７に示すお好みイベント案内に重畳される補助画面の表示例を示す説明図である。例えば、お好みイベントの放送状態又は登録状態が変化したとき等に、お好みイベント案内に重畳される。
【００６８】
図５において、まず、ステップＳ２０１では、操作部１９のお好みイベント表示ボタン２２０が操作されたか判定する。そして、お好みイベント表示ボタン２２０が操作されない場合はステップＳ２０２に移行し、お好みイベント表示ボタン２２０が操作された場合はステップＳ２０３に移行する。
【００６９】
ステップＳ２０２では、すでにお好みイベント案内が表示されている状態であるか判定する。そして、お好みイベント案内が表示中である場合はステップＳ２０６に移行し、お好みイベント案内が表示中でない場合はステップＳ２０１に移行する。
【００７０】
ステップＳ２０３では、すでにお好みイベント案内が表示されている状態であるか判定する。つまり、ステップＳ２０１におけるお好みイベント表示ボタン２２０の操作は、お好みイベント案内が表示されているときの操作か、通常のイベント視聴時の操作かを判定する。そして、お好みイベント案内が表示中である場合はステップＳ２０４に移行し、お好みイベント案内が表示中でない場合はステップＳ２０５に移行する。
【００７１】
ステップＳ２０４では、お好みイベント案内において、フォーカスを遷移させる。つまり、本実施形態では、お好みイベント案内が表示された状態で、お好みイベント表示ボタン２２０が操作された場合は、フォーカスを移動させるようにしている。なお、方向ボタン２１０の上下によりフォーカスを移動させるようにしてもよい。
【００７２】
ステップＳ２０５では、お好みイベント案内を主画面に重畳させてＯＳＤ表示する。具体的には、イベント情報記憶部１８に記憶されているイベント情報及び各お好みイベントの放送状態に基づいて、ＯＳＤ生成部１６にお好みイベント案内データを生成させ、表示部２２に図７に示すお好みイベント案内を表示させる。
【００７３】
図７に示すお好みイベント案内において、画面右部のＤ１領域には、例えば、立体的に円環状をなすように配置されたイベント表示枠Ｄ１１〜Ｄ１５が表示される。それぞれのイベント表示枠Ｄ１１〜Ｄ１５には、お好みイベントとして登録されたイベント（上限５個）と、現在視聴中のイベントが、例えば、お好みイベントに登録された順（視聴イベントは最下位）に割り当てられる。このとき、イベント表示枠Ｄ１１〜Ｄ１５には、例えば、それぞれのイベントを示す情報（例えば、イベント名やタイトル画面（動画でも可））が表示される。
【００７４】
図７では、真ん中に位置するイベント表示枠Ｄ１３がフォーカスされていることを示している。利用者は、お好みイベント表示ボタン２２０又は方向ボタン２１０を操作し、イベント表示枠Ｄ１１〜Ｄ１５を立体的に回転させる（表示されるイベントの最初と最後は巡回させる）ことで、フォーカスされるイベントを遷移させる。
【００７５】
また、お好みイベント案内において、画面中央下部のＤ２領域には、フォーカスされたイベント表示枠Ｄ１３に割り当てられているイベントに関する情報が拡大表示される。イベント情報として、例えば、ネットワーク名（地上／ＢＳ／ＣＳディジタル）、３桁チャンネル、放送局、イベント名、放送時間帯、番組内容が表示される。
【００７６】
また、お好みイベント案内において、画面左上部のＤ３領域には、フォーカスされているイベントが副画面として表示され、お好みイベント案内のフォーカスの遷移に連動して表示イベントは変更される。なお、お好みイベント表示ボタン２２０又は方向ボタン２１０が押下されたままとされ、フォーカスが連続遷移されている場合は、副画面の表示をフォーカス遷移に連動させなくてもよい。また、お好みイベント案内の背景となる主画面では、現在視聴中のイベントが表示される。
【００７７】
利用者は、このお好みイベント案内において、お好みイベント表示ボタン２２０又は方向ボタン２１０を操作してフォーカスされるイベントを遷移させ、所望のイベントにフォーカスがあった状態で決定ボタン２１１を操作することで、当該イベントを提供するチャンネルを選局できる。
【００７８】
次いで、ステップＳ２０６では、お好みイベントの何れかが放送延長時間となったか判定する。そして、お好みイベントの何れかが放送延長時間となった場合はステップＳ２０７に移行し、お好みイベントの何れも放送延長時間となっていない場合はステップＳ２０８に移行する。例えば、イベント情報記憶手段１８に延長前後のイベント情報が記憶されているかに基づいて放送延長となるお好みイベント（延長イベント）があるかを判定し、さらに、延長前のイベント情報に含まれる放送終了時間、又は延長後のイベント情報に含まれる延長放送開始時間に基づいて、延長イベントが放送延長時間になったか判定する。
【００７９】
ステップＳ２０７では、延長後のイベント情報に基づいて、お好みイベント案内における延長イベントの表示を変更する。例えば、図７に示すお好みイベント案内において、延長イベントがフォーカスされた場合、Ｄ２領域に表示されるイベント情報に延長アイコンを表示させることで、当該イベントが延長イベントであることを報知する。また、延長イベントの延長後の放送時間が決まっていない場合は放送時間には「イベント延長中」と表示させ、延長後の放送時間が決まっている場合は延長後の放送時間を表示させる。なお、イベント情報記憶部１８では、延長イベントについて延長前のイベント情報は消去され、延長後のイベント情報に完全に更新される。
【００８０】
ステップＳ２０８では、お好みイベントの何れかが放送終了時間となったか判定する。そして、お好みイベントの何れかが放送終了時間となった場合はステップＳ２０９に移行し、お好みイベントの何れも放送終了時間となっていない場合はステップＳ２１０に移行する。例えば、イベント情報記憶手段１８に記憶されているイベント情報に含まれる放送終了時間に基づいて、お好みイベントが放送終了時間になったか判定する。
【００８１】
ステップＳ２０９では、更新されたイベント情報に基づいて、お好みイベント案内の表示を変更する。つまり、放送終了したお好みイベントは削除される（図４のステップＳ１１６）ので、このお好みイベントはお好みイベント案内に表示されなくなる。
【００８２】
制御部２０は、お好みイベント案内を表示した状態において、お好みイベントの放送状態が変化した場合は、以上のステップＳ２０６〜Ｓ２０９の処理にしたがってお好みイベント案内の表示制御を行うこととなる。
【００８３】
次いで、ステップＳ２１０では、お好みイベント登録ボタン２２１の操作、すなわち視聴しているイベントをお好みイベントとして登録する操作がなされた判定する。そして、お好みイベント登録ボタン２２１による登録指定がなされた場合はステップＳ２１１に移行し、登録指定がなされていない場合はステップＳ２１５（図６）に移行する。
【００８４】
ステップＳ２１１では、お好みイベント情報記憶領域１８１に記憶されているお好みイベント数は上限（図３では、５個）に達しているか判定する。そして、登録されたお好みイベント数が上限に達していない場合はステップＳ２１２に移行し、上限に達していない場合はステップＳ２１３に移行する。
【００８５】
ステップＳ２１２では、視聴イベントがお好みイベントとして登録されたことを報知する。例えば、図８に示すように、お好みイベント登録報知画面Ｄ４を表示させる。このお好みイベント登録報知画面Ｄ４は、戻るボタンＢ１が操作されること、または表示後一定時間が経過することに伴い消去される。ここで、視聴イベントはお好みイベントとして登録されるが、イベント情報の記憶領域が、視聴イベント情報記憶領域１８２からお好みイベント情報記憶部１８２に変わるだけなので、お好みイベント案内の表示は更新されない。
【００８６】
ステップＳ２１３では、お好みイベント削除画面Ｄ５を表示する。例えば、図９に示すように、お好みイベント削除画面Ｄ５では、５個のお好みイベント（イベント１〜５）と視聴イベントの計６個のイベントを提示する。利用者は、このお好みイベント削除画面Ｄ５において、方向ボタン２１０を操作することでフォーカス（図９では「イベント１」がフォーカスされている）を移動させ、決定ボタン２１１を操作することで削除するイベントを決定する。
【００８７】
ステップＳ２１４では、お好みイベント削除画面Ｄ５において、お好みイベントの削除操作がなされたかを判定する。そして、すでに登録済みのお好みイベントが削除された場合はステップＳ２１５に移行し、お好みイベント削除画面Ｄ５において戻るボタンＢ２が操作されたり、視聴イベントが削除するイベントとして選択されたりして、お好みイベントが削除されない場合はステップＳ２１７に移行する。
【００８８】
ステップＳ２１５では、登録されていたお好みイベントが削除され、新たに視聴イベントがお好みイベントとして登録されたことを報知する。例えば、図１０に示すように、お好みイベント削除／登録報知画面Ｄ６を表示させる。このお好みイベント削除／登録報知画面Ｄ６は、戻るボタンＢ３が操作されること、または表示後一定時間が経過することに伴い消去される。
【００８９】
ステップＳ２１６では、お好みイベント案内を更新する。このお好みイベント案内では、削除されたお好みイベントは表示されなくなり、フォーカスの遷移により表示されるイベント数は５個となる。
【００９０】
ステップＳ２１７では、お好みイベント表示ボタン２２０が長押し操作され、フォーカスされているお好みイベントの削除指定がなされたか判定する。そして、お好みイベント表示ボタン２２０の長押し操作によりお好みイベントが削除指定された場合はステップＳ２１８に移行し、お好みイベントが削除指定されていない場合はステップＳ２１９に移行する。
【００９１】
ステップＳ２１８では、お好みイベントが削除されたことを報知する。例えば、図１１に示すように、お好みイベント削除報知画面Ｄ７を表示させる。このお好みイベント削除報知画面Ｄ７は、戻るボタンＢ４が操作されること、または表示後一定時間が経過することに伴い消去される。
【００９２】
ステップＳ２１９では、お好みイベント案内を更新する。このお好みイベント案内では、削除されたお好みイベントは表示されなくなり、フォーカスの遷移により表示されるイベント数は一個減少する。
【００９３】
制御部２０は、お好みイベント案内を表示した状態において、お好みイベントの登録指定／削除指定がなされた場合は、以上のステップＳ２１０〜Ｓ２１９の処理にしたがってお好みイベント案内の表示制御を行うこととなる。
【００９４】
ステップＳ２２０では、お好みイベント案内が表示された状態において、操作部１９による操作がないまま一定時間経過したか判定する。そして、無操作のまま一定時間経過したと判定した場合はステップＳ２２３に移行し、お好みイベント案内のＯＳＤ表示を消去する。このとき、主画面ではお好みイベント案内が表示される前に視聴されていたイベントが表示されることとなる。
【００９５】
つまり、本実施形態では、お好みイベント案内が表示された状態において、一定時間なんの操作も行われなかった場合に、お好みイベント案内の表示は不要であるとみなしＯＳＤ表示を消去する。なお、お好みイベント案内の表示を所定の操作によってキャンセルさせるようにしてもよい。
【００９６】
一方、ステップＳ２２０で、無操作のまま一定時間経過していないと判定した場合はステップＳ２２１に移行する。
【００９７】
ステップＳ２２１では、お好みイベント案内からイベントが選択されたか判定する。具体的には、お好みイベント案内が表示された状態において、お好みイベント表示ボタン２２０又は方向ボタン２１０によりフォーカスされるイベントが遷移され、所望のイベントがフォーカスされた状態で決定ボタン２１１が操作されたか判定する。そして、お好みイベント案内からイベントが選択されたと判定した場合はステップＳ２２２に移行し、選択されたイベントを提供しているチャンネルを選局し、この選択イベントを主画面に表示するとともに、お好みイベント案内のＯＳＤ表示を消去する（ステップＳ２２３）。
【００９８】
また、ステップＳ２２１で、お好みイベント案内からイベントが選択されていないと判定した場合はお好みイベント案内を表示したままとし、ステップＳ２０１以降の処理を繰り返す。
【００９９】
制御部２０は、お好みイベント案内を表示した状態において、お好みイベントが選択された場合は、以上のステップＳ２２０〜Ｓ２２３の処理にしたがってお好みイベント案内の表示制御及びチャンネルの選局制御を行うこととなる。
【０１００】
また、お好みイベント案内のＯＳＤ表示を消去した直後や、チャンネル選局処理によりチャンネルが変更された直後は、主画面に表示されるイベントの情報を示すバナー表示が行われることがある。例えば、図１２に示すように、画面上部にバナーＤ８を表示させる。このとき、表示されているイベントがお好みイベントとして登録されている場合は、例えば、所定のアイコンＩを表示させることで、当該イベントがお好みイベントとして登録されていることを報知するようにするのが望ましい。これにより、利用者は、現在視聴中のイベントがお好みイベントであることを容易に認識できるので、お好み登録されているイベントを再度お好み登録しようとする無駄な操作が行われるのを防止できる。
【０１０１】
このように、本実施形態では、テレビジョン受像機１０において、比較的短い時間に視聴され、お好みイベントとして登録されたイベントを容易に把握することができるとともに、お好みイベント案内における簡便な操作でお好みイベントを再視聴させることができる。また、利用者は、選局するために該当イベントのチャンネルが割り当てられている数字ボタン等を覚える必要はないので、チャンネル選局操作は極めて簡便なものとなる。
【０１０２】
以上、本発明者によってなされた発明を実施形態に基づいて具体的に説明したが、本発明は上記実施形態に限定されるものではなく、その要旨を逸脱しない範囲で変更可能である。
【０１０３】
例えば、お好みイベントの放送状態が変更した場合は、その旨を報知するようにしてもよい。図５のステップＳ２０７、ステップＳ２０９では、お好みイベント案内の表示を変更するが、その前に数秒間、報知画面（例えば、図１３）を表示させるようにしてもよい。お好みイベント案内が表示された状態でお好みイベントの放送状態が変化したときはもちろん、お好みイベント案内が表示されていない状態で放送状態が変化したイベントについても、例えば、お好みイベント案内を表示させるときに、放送状態が変化したことを報知するようにするのが望ましい。
【０１０４】
また、例えば、お好みイベント案内には、放送終了時刻と現在時刻に基づいて、そのお好みイベントの残り放送時間を表示させるようにしてもよい。
【０１０５】
また、上記実施形態では、お好みイベント案内を表示させるための専用のボタンとして、お好みイベント表示ボタン２２０を設け、お好みイベントを登録／削除するためのボタンとしてお好みイベント登録ボタン２２１を設けるようにしているが、リモコン装置１９の他のボタンにこの機能を割り当てるようにしてもよい。例えば、リモコン装置１９のカラーボタン２０８の何れかに、イベント視聴中の機能として「お好みイベント案内表示」を割り当て、お好みイベント案内表示中の機能として「お好みイベント登録／削除」を割り当てるようにする。
【０１０６】
さらに、上記実施形態では、図７等に示すように立体的に円環状をなすようにイベント表示枠Ｄ１１〜Ｄ１５を配置し、それぞれのイベント表示枠Ｄ１１〜Ｄ１５に、お好みイベントとして登録されたイベント（上限５個）を割り当てて表示させるようにしているが、登録されたお好みイベントに関する情報が認識可能な形態であれば、お好みイベントの表示形態は特に制限されない。
【０１０７】
例えば、図１４に示すように、お好みイベントをサムネイル表示Ｄ１０としてもよい。この場合は、お好みイベントの情報として映像（予め記憶した映像）を提供することもできる。また、一覧リストによりお好みイベントを表示させるようにしてもよい。また、これらの表示形態の中から利用者が所望の表示形態を選択できるようにしてもよい。さらに、お好みイベント案内において表示させるお好みイベントの最大数を増加できるようにしてもよい。
【０１０８】
また、お好みイベント案内において副画面Ｄ３を表示させなくてもよい。この場合、お好みイベント案内の背景となる主画面において、お好みイベント案内におけるフォーカス遷移と連動したイベント表示を行うようにしてもよい。
【０１０９】
また、上記実施形態では、お好みイベント案内が表示された状態で、お好みイベント表示ボタン２２０が長押し操作された場合に、フォーカスされているイベントを削除するようにしているが、図９に示すお好みイベント削除画面を表示させた上で、削除するお好みイベントを選択・決定させるようにしてもよい。
【０１１０】
上記実施形態では、本発明をテレビジョン受像機に適用した例について説明したが、ディジタル放送信号を受信可能なディジタル放送受信装置全般に適用することができる。例えば、ＤＶＤ／ＨＤＤレコーダやセット・トップ・ボックスなどの各種ＡＶ（オーディオビジュアル）装置に適用することができる。
【図面の簡単な説明】
【０１１１】
【図１】本発明に係るディジタル放送受信装置としてのテレビジョン受像機１０の全体構成を示すブロック図である。
【図２】操作部１９としてのリモコン装置の概観図である。
【図３】イベント情報記憶部１８におけるデータ構成の一例を示す説明図である。
【図４】お好みイベント記憶処理の一例を示すフローチャートである。
【図５】お好みイベント案内表示処理の一例を示すフローチャートである。
【図６】お好みイベント案内表示処理の一例を示すフローチャートである。
【図７】お好みイベント案内の一表示例を示す説明図である。
【図８】視聴イベントをお好みイベントとして登録したときに表示される、お好みイベント登録報知画面の一表示例である。
【図９】お好みイベントを削除するときに表示される、お好みイベント削除画面の一表示例である。
【図１０】お好みイベント削除画面において、お好みイベントが削除されたときに表示される、お好みイベント削除／登録報知画面の一表示例である。
【図１１】お好みイベント案内において、削除操作が行われたときに表示される、お好みイベント削除報知画面の一表示例である。
【図１２】通常のイベント視聴時に表示される、バナー表示の一例である。
【図１３】お好みイベントの放送状態が変化したときに表示される画面の一例である。
【図１４】お好みイベント案内の他の例を示す説明図である。
【符号の説明】
【０１１２】
１０  テレビジョン受像機（ディジタル放送受信装置）
１１  アンテナ
１２  受信部（受信手段、ダブルチューナ）
１３  信号復調部
１４  データ分離部
１５  デコード部
１６  ＯＳＤ生成部
１７  多重化部（ＯＳＤ部）
１８  イベント情報記憶部（イベント情報記憶手段）
１９  操作部（操作手段）
２０  制御部（お好みイベント案内手段）
【図１】
2008271394.tif 000003
【図２】
2008271394.tif 000004
【図３】
2008271394.tif 000005
【図４】
2008271394.tif 000006
【図５】
2008271394.tif 000007
【図６】
2008271394.tif 000008
【図７】
2008271394.tif 000009
【図８】
2008271394.tif 000010
【図９】
2008271394.tif 000011
【図１０】
2008271394.tif 000012
【図１１】
2008271394.tif 000013
【図１２】
2008271394.tif 000014
【図１３】
2008271394.tif 000015
【図１４】
2008271394.tif 000016